(57)【要約】【課題】ユーザにより指定された人物が電子番組ガイドにおいて出演者として記載されてない番組であっても、その人物が出演する番組を予約録画し得る録画装置を提供する。【解決手段】録画装置１は、番組の内容に係る番組内容情報を、当該番組から抽出する抽出部１０と、抽出部１０によって番組内容特定情報が抽出された番組のそれぞれについて、当該番組を特定する番組特定情報と、抽出部１０によって当該番組から抽出された番組内容情報とを対応付けたデータベースを記憶する記憶部２０と、人物を特定する人物特定情報の入力を受け付ける入力部３０と、データベースを用いて、入力部３０によって受け付けられた人物特定情報によって特定される第１の人物が出演する出演番組を推定する推定部４０と、推定部４０によって推定された出演番組を予約録画する録画部５０と、を備える。【選択図】図１
2019213080.tif 000002
【特許請求の範囲】
【請求項１】
番組の内容に係る番組内容情報を、当該番組から抽出する抽出部と、
前記抽出部によって番組内容情報が抽出された番組のそれぞれについて、当該番組を特定する番組特定情報と、前記抽出部によって当該番組から抽出された番組内容情報とを対応付けたデータベースを記憶する記憶部と、
人物を特定する人物特定情報の入力を受け付ける入力部と、
前記データベースを用いて、前記入力部によって受け付けられた人物特定情報によって特定される第１の人物が出演する出演番組を推定する推定部と、
前記推定部によって推定された出演番組を予約録画する録画部と、を備える
録画装置。
【請求項２】
前記抽出部は、抽出する番組内容情報に、抽出対象とする番組の出演者を特定する出演者特定情報を含めて前記抽出を行い、
前記推定部は、前記データベースに含まれる番組特定情報の中から、前記第１の人物を出演者として特定する第１の出演者特定情報に対応付けられた番組特定情報を抽出し、当該抽出した番組特定情報によって特定される番組と、番組名の少なくとも一部が一致する番組を、前記出演番組として推定する
請求項１に記載の録画装置。
【請求項３】
前記抽出部は、抽出する番組内容情報に、出演者特定情報のそれぞれに対応付けられた、当該出演者特定情報によって特定される出演者の属性を示す属性情報を含めて前記抽出を行い、
前記推定部は、前記抽出した番組特定情報の中から、前記第１の出演者特定情報に対応付けられた属性情報が示す属性が所定の条件を満たす番組特定情報に限定して、前記推定を行う
請求項２に記載の録画装置。
【請求項４】
前記推定部は、前記抽出した番組特定情報の中から、前記第１の人物が番組名の少なくとも一部が一致する番組に出演した回数が所定の条件を満たす番組を特定する番組特定情報に限定して、前記推定を行う
請求項２又は３に記載の録画装置。
【請求項５】
前記抽出部は、抽出する番組内容情報に、抽出対象とする番組の出演者を特定する出演者特定情報を含めて前記抽出を行い、
前記推定部は、前記データベースに含まれる出演者特定情報の中から、前記第１の人物が出演した番組に共演した共演者を特定する出演者特定情報を抽出し、当該抽出した出演者特定情報によって特定される出演者が出演する番組を、前記出演番組として推定する
請求項１に記載の録画装置。
【請求項６】
前記推定部は、前記抽出した出演者特定情報の中から、前記第１の人物が出演した番組に共演した回数が所定の条件を満たす共演者を特定する出演者特定情報に限定して、前記推定を行う
請求項５に記載の録画装置。
【請求項７】
前記抽出部は、抽出する番組内容情報に、抽出対象とする番組の出演者を特定する出演者特定情報と、抽出対象とする番組に携わった監督又は脚本家を特定する監督特定情報とを含めて前記抽出を行い、
前記推定部は、前記データベースに含まれる監督特定情報の中から、前記第１の人物が出演した番組に携わった監督又は脚本家を特定する監督特定情報を抽出し、当該抽出した監督特定情報によって特定される監督又は脚本家が携わる番組を、前記出演番組として推定する
請求項１に記載の録画装置。
【請求項８】
前記推定部は、前記抽出した監督特定情報の中から、前記第１の人物が出演した番組に携わった回数が所定の条件を満たす監督又は脚本家を特定する監督特定情報に限定して、前記推定を行う
請求項７に記載の録画装置。
【請求項９】
前記抽出部は、抽出する番組内容情報に、抽出対象とする番組の出演者を特定する出演者特定情報と、抽出対象とする番組内の会話に含まれる番組名を特定する会話内番組名特定情報とを含めて前記抽出を行い、
前記推定部は、前記データベースに含まれる会話内番組名特定情報の中から、前記第１の人物が出演した番組の番組内の会話に含まれる番組名を特定する会話内番組名特定情報を抽出し、当該抽出した会話内番組名特定情報によって特定された番組名の番組を、前記出演番組として推定する
請求項１に記載の録画装置。
【請求項１０】
前記抽出部は、抽出する番組内容情報に、抽出対象とする番組の出演者を特定する出演者特定情報と、抽出対象とする番組に対応するキーワードとを含めて前記抽出を行い、
前記推定部は、前記データベースに含まれる出演者特定情報の中から、前記第１の人物が出演した番組に対応するキーワードを抽出し、当該抽出したキーワードに対応する番組を、前記出演番組として推定する
請求項１に記載の録画装置。
【請求項１１】
前記推定部は、前記抽出したキーワードの中から、前記第１の人物が出演した番組に対応するキーワードの数が所定の条件を満たすキーワードに限定して、前記推定を行う
請求項１０に記載の録画装置。
【請求項１２】
前記抽出部は、抽出対象とする番組に流れるエンドロールに含まれる文字列から、前記番組内容情報の抽出を行う
請求項１から請求項１１のいずれか１項に記載の録画装置。
【請求項１３】
前記抽出部は、抽出対象とする番組に挿入されるテロップに含まれる文字列から、前記番組内容情報の抽出を行う
請求項１から請求項１１のいずれか１項に記載の録画装置。
【請求項１４】
前記抽出部が抽出対象とする番組は、前記録画装置によって録画された番組、及び前記録画装置によって受信中の番組のうちの少なくとも一方である
請求項１から請求項１３のいずれか１項に記載の録画装置。
【発明の詳細な説明】
【技術分野】
【０００１】
本発明は、番組を録画する録画装置に関する。
【背景技術】
【０００２】
従来、電子番組ガイド（ＥＰＧ：Electronic Program Guide）に含まれる出演者の情報に基づいて、ユーザにより指定された人物が出演する番組を予約録画する録画装置が知られている（例えば、特許文献１参照）。
【先行技術文献】
【特許文献】
【０００３】
【特許文献１】特開２００６−８０８０３号公報
【発明の概要】
【発明が解決しようとする課題】
【０００４】
従来の録画装置では、ユーザにより指定された人物が、実際には出演者として出演する番組であっても、電子番組ガイドにおいてその番組の出演者として記載されていなければ、その番組の予約録画を行うことができない。
【０００５】
そこで、本発明は、ユーザにより指定された人物が電子番組ガイドにおいて出演者として記載されてない番組であっても、その人物が出演する番組を予約録画し得る録画装置を提供することを目的とする。
【課題を解決するための手段】
【０００６】
上記目的を達成するために、本発明の一態様に係る録画装置は、番組の内容に係る番組内容情報を、当該番組から抽出する抽出部と、前記抽出部によって番組内容情報が抽出された番組のそれぞれについて、当該番組を特定する番組特定情報と、前記抽出部によって当該番組から抽出された番組内容情報とを対応付けたデータベースを記憶する記憶部と、人物を特定する人物特定情報の入力を受け付ける入力部と、前記データベースを用いて、前記入力部によって受け付けられた人物特定情報によって特定される第１の人物が出演する出演番組を推定する推定部と、前記推定部によって推定された出演番組を予約録画する録画部と、を備える。
【０００７】
上記構成の録画装置によると、ユーザにより指定された人物が電子番組ガイドにおいて出演者として記載されてない番組であっても、その人物が出演する番組を予約録画し得る。
【０００８】
例えば、前記抽出部は、抽出する番組内容情報に、抽出対象とする番組の出演者を特定する出演者特定情報を含めて前記抽出を行い、前記推定部は、前記データベースに含まれる番組特定情報の中から、前記第１の人物を出演者として特定する第１の出演者特定情報に対応付けられた番組特定情報を抽出し、当該抽出した番組特定情報によって特定される番組と、番組名の少なくとも一部が一致する番組を、前記出演番組として推定するであってもよい。
【０００９】
これにより、ユーザにより指定された人物が出演したことがある番組と、番組名の少なくとも一部が一致する番組を、その人物が出演する番組として予約録画することができる。
【００１０】
例えば、前記抽出部は、抽出する番組内容情報に、出演者特定情報のそれぞれに対応付けられた、当該出演者特定情報によって特定される出演者の属性を示す属性情報を含めて前記抽出を行い、前記推定部は、前記抽出した番組特定情報の中から、前記第１の出演者特定情報に対応付けられた属性情報が示す属性が所定の条件を満たす番組特定情報に限定して、前記推定を行うであってもよい。
【００１１】
これにより、ユーザにより指定された人物が、特定の属性の出演者（例えば、ゲスト）として出演した番組を除外して、その人物が出演したことがある番組と、番組名の少なくとも一部が一致する番組を、その人物が出演する番組として予約録画することができる。
【００１２】
例えば、前記推定部は、前記抽出した番組特定情報の中から、前記第１の人物が番組名の少なくとも一部が一致する番組に出演した回数が所定の条件を満たす番組を特定する番組特定情報に限定して、前記推定を行うであってもよい。
【００１３】
これにより、ユーザにより指定された人物が、所定の回数以下しか出演していない、及び所定の割合以下しか出演していない、番組名の少なくとも一部が一致する番組を除外して、その人物が出演したことがある番組と、番組名の少なくとも一部が一致する番組を、その人物が出演する番組として予約録画することができる。
【００１４】
例えば、前記抽出部は、抽出する番組内容情報に、抽出対象とする番組の出演者を特定する出演者特定情報を含めて前記抽出を行い、前記推定部は、前記データベースに含まれる出演者特定情報の中から、前記第１の人物が出演した番組に共演した共演者を特定する出演者特定情報を抽出し、当該抽出した出演者特定情報によって特定される出演者が出演する番組を、前記出演番組として推定するであってもよい。
【００１５】
これにより、ユーザにより指定された人物が出演したことがある番組で共演した共演者が出演する番組を、その人物が出演する番組として予約録画することがきる。
【００１６】
例えば、前記推定部は、前記抽出した出演者特定情報の中から、前記第１の人物が出演した番組に共演した回数が所定の条件を満たす共演者を特定する出演者特定情報に限定して、前記推定を行うであってもよい。
【００１７】
これにより、ユーザにより指定された人物が出演したことがある番組で、所定の回数以下しか共演したことがない、及び所定の割合以下しか共演したことがない共演者を除外して、その共演者が出演する番組を、その人物が出演する番組として予約録画することができる。
【００１８】
例えば、前記抽出部は、抽出する番組内容情報に、抽出対象とする番組の出演者を特定する出演者特定情報と、抽出対象とする番組に携わった監督又は脚本家を特定する監督特定情報とを含めて前記抽出を行い、前記推定部は、前記データベースに含まれる監督特定情報の中から、前記第１の人物が出演した番組に携わった監督又は脚本家を特定する監督特定情報を抽出し、当該抽出した監督特定情報によって特定される監督又は脚本家が携わる番組を、前記出演番組として推定するであってもよい。
【００１９】
これにより、ユーザにより指定された人物が出演したことがある番組に携わった監督又は脚本家が携わる番組を、その人物が出演する番組として予約録画することができる。
【００２０】
例えば、前記推定部は、前記抽出した監督特定情報の中から、前記第１の人物が出演した番組に携わった回数が所定の条件を満たす監督又は脚本家を特定する監督特定情報に限定して、前記推定を行うであってもよい。
【００２１】
これにより、ユーザにより指定された人物が出演したことがある番組に携わった監督又は脚本家で、所定の回数以下しか携わったことのない、及び所定の割合以下しか携わったことのない監督又は脚本家共演者を除外して、その監督又は脚本家が携わる番組を、その人物が出演する番組として予約録画することができる。
【００２２】
例えば、前記抽出部は、抽出する番組内容情報に、抽出対象とする番組の出演者を特定する出演者特定情報と、抽出対象とする番組内の会話に含まれる番組名を特定する会話内番組名特定情報とを含めて前記抽出を行い、前記推定部は、前記データベースに含まれる会話内番組名特定情報の中から、前記第１の人物が出演した番組の番組内の会話に含まれる番組名を特定する会話内番組名特定情報を抽出し、当該抽出した会話内番組名特定情報によって特定された番組名の番組を、前記出演番組として推定するであってもよい。
【００２３】
これにより、ユーザにより指定された人物が出演したことがある番組の中の会話で出てきた番組名の番組を、その人物が出演する番組として予約録画することができる。
【００２４】
例えば、前記抽出部は、抽出する番組内容情報に、抽出対象とする番組の出演者を特定する出演者特定情報と、抽出対象とする番組に対応するキーワードとを含めて前記抽出を行い、前記推定部は、前記データベースに含まれる出演者特定情報の中から、前記第１の人物が出演した番組に対応するキーワードを抽出し、当該抽出したキーワードに対応する番組を、前記出演番組として推定するであってもよい。
【００２５】
これにより、ユーザにより指定された人物が出演したことがある番組のキーワードをキーワードとする番組を、その人物が出演する番組として予約録画することができる。
【００２６】
例えば、前記推定部は、前記抽出したキーワードの中から、前記第１の人物が出演した番組に対応するキーワードの数が所定の条件を満たすキーワードに限定して、前記推定を行うであってもよい。
【００２７】
これにより、ユーザにより指定された人物が出演したことがある番組のキーワードで、所定の回数以下しか現れないキーワードを除外して、そのキーワードをキーワードとする番組を、その人物が出演する番組として予約録画することができる。
【００２８】
例えば、前記抽出部は、抽出対象とする番組に流れるエンドロールに含まれる文字列から、前記番組内容情報の抽出を行うであってもよい。
【００２９】
これにより、過去に録画された番組、又は放送中の番組の番組内容に基づいて、ユーザにより指定された人物が出演する番組を予約録画することができる。
【００３０】
なお、本発明は、このような特徴的な処理部を備える録画装置として実現することができるだけでなく、録画装置に含まれる特徴的な処理部が実行する処理をステップとする録画方法として実現することができる。また、録画装置に含まれる特徴的な処理部としてコンピュータを機能させるためのプログラムまたは録画方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読み取り可能な非一時的な記録媒体やインターネット等の通信ネットワークを介して流通させることができるのは、言うまでもない。
【発明の効果】
【００３１】
本発明によると、ユーザにより指定された人物が電子番組ガイドにおいて出演者として記載されてない番組であっても、その人物が出演する番組を予約録画し得る録画装置を提供することができる。
【図面の簡単な説明】
【００３２】
【図１】図１は、実施の形態１に係る録画装置の構成を示すブロック図である。
【図２Ａ】図２Ａは、実施の形態１に係る抽出部が、番組から番組内容情報の抽出を行う様子の一例を示す模式図である。
【図２Ｂ】図２Ｂは、実施の形態１に係る抽出部が、番組から番組内容情報の抽出を行う様子の一例を示す模式図である。
【図２Ｃ】図２Ｃは、実施の形態１に係る抽出部が、電子番組ガイドから番組内容情報の抽出を行う様子の一例を示す模式図である。
【図３】図３は、実施の形態１に係るデータベースの一例を示すデータ構成図である。
【図４】図４は、実施の形態１に係る第１推定処理のフローチャートである。
【図５】図５は、実施の形態２に係る録画装置の構成を示すブロック図である。
【図６】図６は、実施の形態２に係る第２推定処理のフローチャートである。
【図７】図７は、実施の形態３に係る録画装置の構成を示すブロック図である。
【図８】図８は、実施の形態３に係る第３推定処理のフローチャートである。
【図９】図９は、実施の形態４に係る録画装置の構成を示すブロック図である。
【図１０】図１０は、実施の形態４に係る第４推定処理のフローチャートである。
【図１１】図１１は、実施の形態５に係る録画装置の構成を示すブロック図である。
【図１２】図１２は、実施の形態５に係る第５推定処理のフローチャートである。
【図１３】図１３は、実施の形態６に係る録画装置の構成を示すブロック図である。
【発明を実施するための形態】
【００３３】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、独立請求項に記載されていない構成要素については、任意の構成要素として説明される。
【００３４】
（実施の形態１）
［録画装置の構成］
図１は、実施の形態１に係る録画装置１の構成を示すブロック図である。
【００３５】
図１に示されるように、録画装置１は、抽出部１０と、記憶部２０と、入力部３０と、推定部４０と、録画部５０と、記録媒体６０と、受信部７０と、通信部８０とを含んで構成される。
【００３６】
受信部７０は、放送されている番組、及び電子番組ガイド（ＥＰＧ：Electronic Program Guide）を受信する。受信部７０は、例えば、地上波デジタルテレビ放送を受信する受信機を備え、地上波デジタルテレビ放送を利用して配信される番組、及び電子番組ガイド受信するとしてもよい。また、受信部７０は、例えば、衛星放送を受信する受信機を備え、衛星放送を利用して配信される番組、及び電子番組ガイドを受信するとしてもよい。また、受信部７０は、例えば、ケーブルテレビ放送を受信する受信機を備え、ケーブルテレビ放送を利用して配信される番組、及び電子番組ガイドを受信するとしてもよい。また、受信部７０は、例えば、インターネットテレビ放送を受信する受信機を備え、インターネットテレビ放送を利用して配信される番組、及び電子番組ガイドを受信するとしてもよい。
【００３７】
記録媒体６０は、受信部７０によって受信された番組を録画する記録媒体である。記録媒体６０は、例えば、録画装置１に内蔵されたハードディスクであってもよい。また、記録媒体６０は、例えば、録画装置１に着脱可能なブルーレイディスク（登録商標）であってもよい。また、記録媒体６０は、例えば、録画装置１に着脱可能なＤＶＤディスクであってもよい。また、記録媒体６０は、例えば、録画装置１に着脱可能なＵＳＢメモリであってもよい。
【００３８】
通信部８０は、インターネットに接続され、インターネットに接続される他の機器と通信する。通信部８０は、例えば、無線通信機を備え、無線を利用してインターネットに接続されるとしてもよい。また、通信部８０は、例えば、有線通信機を備え、有線を利用してインターネットに接続されるとしてもよい。通信部８０は、例えば、インターネットを介して、放送局が提供する番組のホームページにアクセスすることができる。また、通信部８０は、例えば、放送局が提供する、番組と連携したＳＮＳ（Social Networking Service）を利用することができる。
【００３９】
抽出部１０は、番組の内容に係る番組内容情報を抽出する。抽出部１０は、例えば、抽出する番組内容情報に、抽出対象とする番組の出演者を特定する出演者特定情報（例えば、出演者の氏名）を含めて抽出してもよい。また、抽出部１０は、例えば、抽出する番組内容情報に、出演者特定情報のそれぞれに対応付けられた、その出演者特定情報によって特定される出演者の属性を示す属性情報（例えば、ゲスト、司会者）を含めて抽出してもよい。また、抽出部１０は、例えば、抽出する番組内容情報に、抽出対象とする番組に携わった監督又は脚本家を特定する監督特定情報（例えば、監督又は脚本家の氏名）を含めて抽出してもよい。また、抽出部１０は、例えば、抽出する番組内容情報に、抽出対象とする番組内の会話に含まれる番組名を特定する会話内番組名特定情報を含めて抽出してもよい。この場合、抽出部１０は、例えば、番組内の字幕情報から、会話内番組名特定情報を抽出するとしてもよい。また、抽出部１０は、抽出する番組内容情報に、抽出対象とする番組に対応するキーワード（例えば、鉄道、京都等）を含めて抽出してもよい。
【００４０】
抽出部１０は、記録媒体６０に録画された番組から番組内容情報の抽出を行う。
【００４１】
図２Ａ、図２Ｂは、抽出部１０が、記録媒体６０に録画された番組から番組内容情報の抽出を行う様子の一例を示す模式図である。
【００４２】
図２Ａに示されるように、抽出部１０は、例えば、番組中に流れるエンドロールに含まれる文字列から、番組内容情報を抽出してもよい。また、図２Ｂに示されるように、抽出部１０は、例えば、番組中に挿入されるテロップに含まれる文字列から、番組内容情報を抽出してもよい。
【００４３】
また、抽出部１０は、受信部７０によって受信された電子番組ガイドから番組内容情報の抽出を行ってもよい。
【００４４】
図２Ｃは、抽出部１０が、受信部７０によって受信された電子番組ガイドから番組内容の抽出を行う様子の一例を示す模式図である。
【００４５】
また、抽出部１０は、放送局が提供する番組のホームページ、又は放送局が提供する、番組と連携したＳＮＳから番組内容情報の抽出を行ってもよい。
【００４６】
抽出部１０は、番組内容情報を抽出すると、抽出した番組のそれぞれについて、番組を特定する番組特定情報と番組内容情報とを対応付けたデータベースを生成する。
【００４７】
図３は、抽出部１０によって生成されたデータベースの一例を示すデータ構成図である。
【００４８】
図３に示されるように、データベースは、番組特定情報と、その番組特定情報に対応する番組内容情報の各構成要素とが対応付けられて構成される。
【００４９】
抽出部１０は、例えば、専用ハードウエアにより実現されてもよいし、例えば、録画装置１がプロセッサとメモリとを備え、メモリに記憶されたプログラムをプロセッサが実行することで実現されてもよい。
【００５０】
記憶部２０は、抽出部１０によって生成されたデータベースを記憶する。記憶部２０は、例えば、ＳＲＡＭ、ＤＲＡＭ等の揮発性のメモリによって実現されてもよいし、例えば、フラッシュメモリ等の不揮発性メモリによって実現されてもよいし、例えば、ハードディスク等の半導体デバイス以外の記憶装置によって実現されてもよい。
【００５１】
入力部３０は、人物を特定する人物特定情報（例えば、人物の名前）の入力を受け付ける。入力部３０は、例えば、録画装置１のユーザによるタッチ操作を受け付けることで人物特定情報の入力を受け付けるタッチパネルを含んで構成されてもよい。また、入力部３０は、例えば、録画装置１のユーザによるキー操作を受け付けることで人物特定情報の入力を受け付けるキーボードを含んで構成されてもよい。また、入力部３０は、例えば、録画装置１のユーザによる音声入力を受け付けることで人物特定情報の入力を受け付けるマイクを含んで構成されてもよい。また、入力部３０は、例えば、通信可能な外部装置から出力された信号を受信することで人物特定情報の入力を受け付ける受信装置を含んで構成されてもよい。
【００５２】
推定部４０は、記憶部２０に記憶されるデータベースを用いて、入力部３０によって受け付けられた人物特定情報によって特定される人物が出演する出演番組を推定する。実施の形態１において、推定部４０は、第１推定処理を行うことで、出演番組の推定を行う。この第１推定処理については、後ほど、図面を用いて詳細に説明する。推定部４０は、例えば、専用ハードウエアにより実現されてもよいし、例えば、録画装置１がプロセッサとメモリとを備え、メモリに記憶されたプログラムをプロセッサが実行することで実現されてもよい。
【００５３】
録画部５０は、推定部４０によって推定された出演番組を記録媒体６０に予約録画する。録画部５０は、例えば、専用ハードウエアにより実現されてもよいし、例えば、録画装置１がプロセッサとメモリとを備え、メモリに記憶されたプログラムをプロセッサが実行することで実現されてもよい。
【００５４】
［録画装置の動作］
上述したように、上記構成の録画装置１は、推定部４０が、第１推定処理を行うことで、出演番組の推定を行う。
【００５５】
以下、推定部４０が行う第１推定処理の詳細について、図面を参照しながら説明する。
【００５６】
図４は、第１推定処理のフローチャートである。
【００５７】
第１推定処理は、入力部３０によって、人物を特定する人物特定情報の入力が受け付けられることで開始される。
【００５８】
第１推定処理が開始されると、推定部４０は、記憶部２０によって記憶されるデータベースを検索し、データベースに含まれる番組特定情報の中から、入力部３０によって受け付けられた人物特定情報によって特定される人物（以下、「第１の人物」とも呼ぶ。）を出演者として特定する出演者特定情報（以下、「第１の出演者特定情報」とも呼ぶ。）に対応付けられた番組特定情報を抽出する（ステップＳ１１０）。すなわち、推定部４０は、データベースから、第１の人物が過去に出演した番組（以下、「過去出演番組」と呼ぶ）を抽出する。
【００５９】
次に、推定部４０は、抽出した番組特定情報のうち、未選択の番組特定情報を１つ選択する（ステップＳ１２０）。ここで、未選択の番組特定情報とは、ステップＳ１２０の処理〜ステップＳ１６０（Ｙｅｓ）の処理（後述）で形成されるループ処理において、過去のステップＳ１２０の処理において選択されたことのない番組特定情報のことをいう。
【００６０】
そして、推定部４０は、選択した番組特定情報に対して、第１の出演者特定情報に対応付けられた属性情報が示す属性が、ゲストであるか否かを調べる（ステップＳ１３０）。すなわち、推定部４０は、選択した過去出演番組に対して、第１の人物がゲストとして出演した番組であるか否かを調べる。
【００６１】
ステップＳ１３０の処理において、属性がゲストでない場合（ステップＳ１３０：Ｎｏ）、推定部４０は、選択した番組特定情報によって特定される番組と、番組名の少なくとも一部が一致する番組に出演した回数が所定回以上、又は出演した割合が所定割合以上であるか否かを調べる（ステップＳ１４０）。すなわち、推定部４０は、選択した過去出演番組に対して、その番組と、番組名の少なくとも一部が一致する番組に、第１の人物が所定回以上、又は所定割合以上出演していたか否かを調べる。
【００６２】
ステップＳ１３０の処理において、番組名の少なくとも一部が一致する番組に出演した回数が所定回以上、又は所定割合以上である場合に（ステップＳ１４０：Ｙｅｓ）、推定部４０は、今後放送される、番組名の少なくとも一部が一致する番組を、第１の人物が出演する出演番組であると推定する（ステップＳ１５０）。
【００６３】
ステップＳ１３０の処理において、属性がゲストである場合と（ステップＳ１３０：Ｙｅｓ）、ステップＳ１４０の処理において、番組名の少なくとも一部が一致する番組に出演した回数が所定回以上でない、及び所定割合以上でない場合と（ステップＳ１４０：Ｎｏ）、ステップＳ１５０の処理が終了した場合とに、推定部４０は、抽出した番組特定情報の中に、未選択の番組特定情報が存在するか否かを調べる（ステップＳ１６０）。すなわち、推定部４０は、抽出した過去出演番組の中に、未選択の過去出演番組が存在するか否かを調べる。
【００６４】
ステップＳ１６０の処理において、未選択の番組特定情報が存在する場合には（ステップＳ１６０：Ｙｅｓ）、推定部４０は、ステップＳ１２０の処理に戻って、ステップＳ１２０以降の処理を繰り返す。
【００６５】
ステップＳ１６０の処理において、未選択の番組特定情報が存在しない場合には（ステップＳ１６０：Ｎｏ）、推定部４０は、第１推定処理を終了する。
【００６６】
なお、ステップＳ１３０の処理とステップＳ１４０の処理とは、いずれも、第１の人物が出演する出演番組を推定する精度を向上させるための処理であり、第１推定処理において、必ずしも必須の処理ではない。このため、第１推定処理は、ステップＳ１３０の処理とステップＳ１４０の処理とのいずれか一方又は双方を実行しない処理であっても構わない。
【００６７】
［考察］
上記構成の録画装置１によると、過去に録画した番組の内容に基づいて、第１の人物が過去に出演した番組と同名の番組を、第１の人物が出演する出演番組と推定し、推定した番組を予約録画することができる。このため、上記構成の録画装置１は、第１の人物が電子番組ガイドにおいて出演者として記載されてない番組であっても、その人物が出演する番組を予約録画し得る。
【００６８】
（実施の形態２）
ここでは、実施の形態１に係る録画装置１から、その構成の一部が変更された、実施の形態２に係る録画装置について説明する。
【００６９】
［録画装置の構成］
図５は、実施の形態２に係る録画装置１Ａの構成を示すブロック図である。
【００７０】
図５に示されるように、録画装置１Ａは、実施の形態１に係る録画装置１から、推定部４０が推定部４０Ａに変更されている。
【００７１】
実施の形態１に係る推定部４０は、第１推定処理を行うことで、記憶部２０に記憶されるデータベースを用いて、入力部３０によって受け付けられた人物特定情報によって特定される人物が出演する出演番組を推定する構成の例であった。
【００７２】
これに対して、推定部４０Ａは、第１推定処理の替わりに第２推定処理を行うことで、記憶部２０に記憶されるデータベースを用いて、入力部３０によって受け付けられた人物特定情報によって特定される人物が出演する出演番組を推定する構成の例となっている。
【００７３】
［録画装置の動作］
以下、推定部４０Ａが行う第２推定処理の詳細について、図面を参照しながら説明する。
【００７４】
図６は、第２推定処理のフローチャートである。
【００７５】
第２推定処理は、入力部３０によって、人物を特定する人物特定情報の入力が受け付けられることで開始される。
【００７６】
第２推定処理が開始されると、推定部４０Ａは、記憶部２０によって記憶されるデータベースを検索し、データベースに含まれる出演者特定情報の中から、入力部３０によって受け付けられた人物特定情報によって特定される第１の人物が出演した番組に共演した共演者を特定する出演者特定情報を抽出する（ステップＳ２１０）。すなわち、推定部４０Ａは、データベースから、第１の人物が過去に出演した過去出演番組の共演者を抽出する。
【００７７】
次に、推定部４０Ａは、抽出した出演者特定情報のうち、未選択の出演者特定情報を１つ選択する（ステップＳ２２０）。ここで、未選択の出演者特定情報とは、ステップＳ２２０の処理〜ステップＳ２５０（Ｙｅｓ）の処理（後述）で形成されるループ処理において、過去のステップＳ２２０の処理において選択されたことのない出演者特定情報のことをいう。
【００７８】
そして、推定部４０Ａは、選択した出演者特定情報に対して、その出演者特定情報によって特定される出演者について、第１の人物が過去に出演した過去出演番組に共演した回数が所定回以上、又は共演した割合が所定割合以上であるか否かを調べる（ステップＳ２３０）。すなわち、推定部４０Ａは、選択した共演者に対して、第１の人物と所定回以上、又は所定割合以上共演していたか否かを調べる。
【００７９】
ステップＳ２３０の処理において、過去出演番組に共演した回数が所定回以上、又は共演した割合が所定割合以上である場合に（ステップＳ２３０：Ｙｅｓ）、推定部４０Ａは、今後放送される、選択した出演者特定情報によって特定される出演者が出演する番組を、第１の人物が出演する出演番組であると推定する（ステップＳ２４０）。
【００８０】
ステップＳ２３０の処理において、過去出演番組に共演した回数が所定回以上でない、及び共演した割合が所定割合以上でない場合と（ステップＳ２３０：Ｎｏ）、ステップＳ２４０の処理が終了した場合とに、推定部４０Ａは、抽出した出演者特定情報の中に、未選択の出演者特定情報が存在するか否かを調べる（ステップＳ２５０）。すなわち、推定部４０Ａは、抽出した共演者の中に、未選択の共演者が存在するか否かを調べる。
【００８１】
ステップＳ２５０の処理において、未選択の出演者特定情報が存在する場合には（ステップＳ２５０：Ｙｅｓ）、推定部４０Ａは、ステップＳ２２０の処理に戻って、ステップＳ２２０以降の処理を繰り返す。
【００８２】
ステップＳ２５０の処理において、未選択の出演者特定情報が存在しない場合には（ステップＳ２５０：Ｎｏ）、推定部４０Ａは、第２推定処理を終了する。
【００８３】
なお、ステップＳ２３０の処理は、第１の人物が出演する出演番組を推定する精度を向上させるための処理であり、第２推定処理において、必ずしも必須の処理ではない。このため、第２推定処理は、ステップＳ２３０の処理を実行しない処理であっても構わない。
【００８４】
［考察］
上記構成の録画装置１Ａによると、過去に録画した番組の内容に基づいて、第１の人物と共演したことがある共演者が出演する番組を、第１の人物が出演する出演番組と推定し、推定した番組を予約録画することができる。このため、上記構成の録画装置１Ａは、第１の人物が電子番組ガイドにおいて出演者として記載されてない番組であっても、その人物が出演する番組を予約録画し得る。
【００８５】
（実施の形態３）
ここでは、実施の形態１に係る録画装置１から、その構成の一部が変更された、実施の形態３に係る録画装置について説明する。
【００８６】
［録画装置の構成］
図７は、実施の形態３に係る録画装置１Ｂの構成を示すブロック図である。
【００８７】
図７に示されるように、録画装置１Ｂは、実施の形態１に係る録画装置１から、推定部４０が推定部４０Ｂに変更されている。
【００８８】
実施の形態１に係る推定部４０は、第１推定処理を行うことで、記憶部２０に記憶されるデータベースを用いて、入力部３０によって受け付けられた人物特定情報によって特定される人物が出演する出演番組を推定する構成の例であった。
【００８９】
これに対して、推定部４０Ｂは、第１推定処理の替わりに第３推定処理を行うことで、記憶部２０に記憶されるデータベースを用いて、入力部３０によって受け付けられた人物特定情報によって特定される人物が出演する出演番組を推定する構成の例となっている。
【００９０】
［録画装置の動作］
以下、推定部４０Ｂが行う第３推定処理の詳細について、図面を参照しながら説明する。
【００９１】
図８は、第３推定処理のフローチャートである。
【００９２】
第３推定処理は、入力部３０によって、人物を特定する人物特定情報が受け付けられることで開始される。
【００９３】
第３推定処理が開始されると、推定部４０Ｂは、記憶部２０によって記憶されるデータベースを検索し、データベースに含まれる出演者特定情報の中から、入力部３０によって受け付けられた人物特定情報によって特定される第１の人物が出演した番組に携わった監督又は脚本家を特定する監督特定情報を抽出する（ステップＳ３１０）。すなわち、推定部４０Ｂは、データベースから、第１の人物が過去に出演した過去出演番組に携わった監督又は脚本家を抽出する。
【００９４】
次に、推定部４０Ｂは、抽出した監督特定情報のうち、未選択の監督特定情報を１つ選択する（ステップＳ３２０）。ここで、未選択の監督特定情報とは、ステップＳ３２０の処理〜ステップＳ３５０（Ｙｅｓ）の処理（後述）で形成されるループ処理において、過去のステップＳ３２０の処理において選択されたことのない監督特定情報のことをいう。
【００９５】
そして、推定部４０Ｂは、選択した監督特定情報に対して、その監督特定情報によって特定される監督又は脚本家について、第１の人物が過去に出演した過去出演番組に携わった回数が所定回以上、又は携わった割合が所定割合以上であるか否かを調べる（ステップＳ３３０）。すなわち、推定部４０Ｂは、選択した監督又は脚本家に対して、第１の人物が過去に出演した過去出演番組に所定回以上、又は所定割合以上携わっていたか否かを調べる。
【００９６】
ステップＳ３３０の処理において、過去出演番組に携わった回数が所定回以上、又は携わった割合が所定割合以上である場合に（ステップＳ３３０：Ｙｅｓ）、推定部４０Ｂは、今後放送される、選択した監督特定情報によって特定される監督又は演出家が携わる番組を、第１の人物が出演する出演番組であると推定する（ステップＳ３４０）。
【００９７】
ステップＳ３３０の処理において、過去出演番組に携わった回数が所定回以上でない、及び携わった割合が所定割合以上でない場合と（ステップＳ３３０：Ｎｏ）、ステップＳ３４０の処理が終了した場合とに、推定部４０Ｂは、抽出した監督特定情報の中に、未選択の監督特定情報が存在するか否かを調べる（ステップＳ３５０）。すなわち、推定部４０Ｂは、抽出した監督又は脚本家の中に、未選択の監督又は脚本家が存在するか否かを調べる。
【００９８】
ステップＳ３５０の処理において、未選択の監督特定情報が存在する場合には（ステップＳ３５０：Ｙｅｓ）、推定部４０Ｂは、ステップＳ３２０の処理に戻って、ステップＳ３２０以降の処理を繰り返す。
【００９９】
ステップＳ３５０の処理において、未選択の監督特定情報が存在しない場合には（ステップＳ３５０：Ｎｏ）、推定部４０Ｂは、第３推定処理を終了する。
【０１００】
なお、ステップＳ３３０の処理は、第１の人物が出演する出演番組を推定する精度を向上させるための処理であり、第３推定処理において、必ずしも必須の処理ではない。このため、第３推定処理は、ステップＳ３３０の処理を実行しない処理であっても構わない。
【０１０１】
［考察］
上記構成の録画装置１Ｂによると、過去に録画した番組の内容に基づいて、第１の人物が過去に出演した番組に携わったことがある監督又は脚本家が携わる番組を、第１の人物が出演する出演番組と推定し、推定した番組を予約録画することができる。このため、上記構成の録画装置１Ｂは、第１の人物が電子番組ガイドにおいて出演者として記載されてない番組であっても、その人物が出演する番組を予約録画し得る。
【０１０２】
（実施の形態４）
ここでは、実施の形態１に係る録画装置１から、その構成の一部が変更された、実施の形態４に係る録画装置について説明する。
【０１０３】
［録画装置の構成］
図９は、実施の形態４に係る録画装置１Ｃの構成を示すブロック図である。
【０１０４】
図９に示されるように、録画装置１Ｃは、実施の形態１に係る録画装置１から、推定部４０が推定部４０Ｃに変更されている。
【０１０５】
実施の形態１に係る推定部４０は、第１推定処理を行うことで、記憶部２０に記憶されるデータベースを用いて、入力部３０によって受け付けられた人物特定情報によって特定される人物が出演する出演番組を推定する構成の例であった。
【０１０６】
これに対して、推定部４０Ｃは、第１推定処理の替わりに第４推定処理を行うことで、記憶部２０に記憶されるデータベースを用いて、入力部３０によって受け付けられた人物特定情報によって特定される人物が出演する出演番組を推定する構成の例となっている。
【０１０７】
［録画装置の動作］
以下、推定部４０Ｃが行う第４推定処理の詳細について、図面を参照しながら説明する。
【０１０８】
図１０は、第４推定処理のフローチャートである。
【０１０９】
第４推定処理は、入力部３０によって、人物を特定する人物特定情報が受け付けられることで開始される。
【０１１０】
第４推定処理が開始されると、推定部４０Ｃは、記憶部２０によって記憶されるデータベースを検索し、データベースに含まれる会話内番組名特定情報の中から、入力部３０によって受け付けられた人物特定情報によって特定される第１の人物が出演した番組内の会話に含まれる番組名を特定する会話内番組名特定情報を抽出する（ステップＳ４１０）。すなわち、推定部４０Ｃは、データベースから、第１の人物が過去に出演した過去出演番組の会話に含まれる会話内番組名を抽出する。
【０１１１】
次に、推定部４０Ｃは、抽出した会話内番組名特定情報のうち、未選択の会話内番組名特定情報を１つ選択する（ステップＳ４２０）。ここで、未選択の会話内番組名特定情報とは、ステップＳ４２０の処理〜ステップＳ４４０（Ｙｅｓ）の処理（後述）で形成されるループ処理において、過去のステップＳ４２０の処理において選択されたことのない会話内番組名特定情報のことをいう。
【０１１２】
そして、推定部４０Ｃは、今後放送される、選択した会話内番組名特定情報によって特定される番組名の番組を、第１の人物が出演する出演番組であると推定する（ステップＳ４３０）。
【０１１３】
ステップＳ４３０の処理が終了すると、推定部４０Ｂは、抽出した会話内番組名特定情報の中に、未選択の会話内番組名特定情報が存在するか否かを調べる（ステップＳ４４０）。すなわち、推定部４０Ｃは、抽出した会話内番組名の中に、未選択の会話内番組名が存在するか否かを調べる。
【０１１４】
ステップＳ４４０の処理において、未選択の会話内番組名特定情報が存在する場合には（ステップＳ４４０：Ｙｅｓ）、推定部４０Ｃは、ステップＳ４２０の処理に戻って、ステップＳ４２０以降の処理を繰り返す。
【０１１５】
ステップＳ４４０の処理において、未選択の会話内番組名特定情報が存在しない場合には（ステップＳ４４０：Ｎｏ）、推定部４０Ｃは、第４推定処理を終了する。
【０１１６】
［考察］
上記構成の録画装置１Ｃによると、過去に録画した番組の内容に基づいて、第１の人物が過去に出演した番組内の会話に含まれる会話内番組名の番組を、第１の人物が出演する出演番組と推定し、推定した番組を予約録画することができる。このため、上記構成の録画装置１Ｃは、第１の人物が電子番組ガイドにおいて出演者として記載されてない番組であっても、その人物が出演する番組を予約録画し得る。
【０１１７】
（実施の形態５）
ここでは、実施の形態１に係る録画装置１から、その構成の一部が変更された、実施の形態５に係る録画装置について説明する。
【０１１８】
［録画装置の構成］
図１１、は実施の形態５に係る録画装置１Ｄの構成を示すブロック図である。
【０１１９】
図１１に示されるように、録画装置１Ｄは、実施の形態１に係る録画装置１から、推定部４０が推定部４０Ｄに変更されている。
【０１２０】
実施の形態１に係る推定部４０は、第１推定処理を行うことで、記憶部２０に記憶されるデータベースを用いて、入力部３０によって受け付けられた人物特定情報によって特定される人物が出演する出演番組を推定する構成の例であった。
【０１２１】
これに対して、推定部４０Ｄは、第１推定処理の替わりに第５推定処理を行うことで、記憶部２０に記憶されるデータベースを用いて、入力部３０によって受け付けられた人物特定情報によって特定される人物が出演する出演番組を推定する構成の例となっている。
【０１２２】
［録画装置の動作］
以下、推定部４０Ｄが行う第５推定処理の詳細について、図面を参照しながら説明する。
【０１２３】
図１２は、第５推定処理のフローチャートである。
【０１２４】
第５推定処理は、入力部３０によって、人物を特定する人物特定情報が受け付けられることで開始される。
【０１２５】
第５推定処理が開始されると、推定部４０Ｄは、記憶部２０によって記憶されるデータベースを検索し、データベースに含まれるキーワードの中から、入力部３０によって受け付けられた人物特定情報によって特定される第１の人物が出演した番組に対応するキーワードを抽出する（ステップＳ５１０）。すなわち、推定部４０Ｂは、データベースから、第１の人物が過去に出演した過去出演番組に対応するキーワードを抽出する。
【０１２６】
次に、推定部４０Ｄは、抽出したキーワードのうち、未選択のキーワードを１つ選択する（ステップＳ５２０）。ここで、未選択のキーワードとは、ステップＳ５２０の処理〜ステップＳ５５０（Ｙｅｓ）の処理（後述）で形成されるループ処理において、過去のステップＳ５２０の処理において選択されたことのないキーワードのことをいう。
【０１２７】
そして、推定部４０Ｄは、選択したキーワードに対して、そのキーワードに対応する番組特定情報によって特定される番組に第１の人物が出演した回数が所定回以上、又は出演した割合が所定割合以上であるか否かを調べる（ステップＳ５３０）。すなわち、推定部４０Ｄは、選択したキーワードの番組に第１の人物が所定回以上、又は所定割合来以上出演したか否かを調べる。
【０１２８】
ステップＳ５３０の処理において、第１の人物が出演した回数が所定回以上、又は所定割合来以上である場合に（ステップＳ５３０：Ｙｅｓ）、推定部４０Ｄは、今後放送される、選択したキーワードに対応する番組特定情報によって特定される番組を、第１の人物が出演する出演番組であると推定する（ステップＳ５４０）。
【０１２９】
ステップＳ５３０の処理において、第１の人物が出演した回数が所定回以上でない、及び所定割合来以上でない場合と（ステップＳ５３０：Ｎｏ）、ステップＳ５４０の処理が終了した場合とに、推定部４０Ｄは、抽出したキーワードの中に、未選択のキーワードが存在するか否かを調べる（ステップＳ５５０）。
【０１３０】
ステップＳ５５０の処理において、未選択のキーワードが存在する場合には（ステップＳ５５０：Ｙｅｓ）、推定部４０Ｄは、ステップＳ５２０の処理に戻って、ステップＳ５２０以降の処理を繰り返す。
【０１３１】
ステップＳ５５０の処理において、未選択のキーワードが存在しない場合には（ステップＳ５５０：Ｎｏ）、推定部４０Ｄは、第５推定処理を終了する。
【０１３２】
なお、ステップＳ５３０の処理は、第１の人物が出演する出演番組を推定する精度を向上させるための処理であり、第５推定処理において、必ずしも必須の処理ではない。このため、第５推定処理は、ステップＳ５３０の処理を実行しない処理であっても構わない。
【０１３３】
［考察］
上記構成の録画装置１Ｄによると、過去に録画した番組の内容に基づいて、第１の人物が過去に出演した番組に対応するキーワードに対応する番組を、第１の人物が出演する出演番組と推定し、推定した番組を予約録画することができる。このため、上記構成の録画装置１Ｄは、第１の人物が電子番組ガイドにおいて出演者として記載されてない番組であっても、その人物が出演する番組を予約録画し得る。
【０１３４】
（実施の形態６）
ここでは、実施の形態１に係る録画装置１から、その構成の一部が変更された、実施の形態６に係る録画装置について説明する。
【０１３５】
［録画装置の構成］
図１３は、実施の形態６に係る録画装置１Ｅの構成を示すブロック図である。
【０１３６】
図１３に示されるように、録画装置１Ｅは、実施の形態１に係る録画装置１から、抽出部１０が抽出部１０Ｅに変更されている。
【０１３７】
実施の形態１に係る抽出部１０は、記録媒体６０に録画された番組から番組内容情報を週出する構成の例であった。
【０１３８】
これに対して、抽出部１０Ｅは、記録媒体６０に録画された番組に加えて、受信部７０によって受信中の番組からも番組内容情報の抽出を行う構成の例となっている。
【０１３９】
［考察］
上記構成の録画装置１Ｅによると、過去に録画した番組の内容、及び受信中の番組の内容に基づいて、第１の人物が過去に出演した番組、又は第１の人物が現在出演している番組と同名の番組を、第１の人物が出演する出演番組と推定し、推定した番組を予約録画することができる。このため、上記構成の録画装置１Ｅは、第１の人物が電子番組ガイドにおいて出演者として記載されてない番組であっても、その人物が出演する番組を予約録画し得る。
【０１４０】
以上、本発明の実施の形態に係る録画装置について説明したが、本発明は、この実施の形態に限定されるものではない。
【０１４１】
例えば、実施の形態１において、受信部７０は、番組と共に電子番組ガイドを受信するとして説明した。しかしながら、受信部７０は、必ずしも電子番組ガイドを受信する構成に限定される必要はない。受信部７０が電子番組情報を受信しない構成の場合には、抽出部１０は、例えば、電子番組ガイドからの番組内容情報の抽出を行わない。このため、記憶部２０に記憶されるデータベースは、例えば、電子番組ガイドから抽出された番組内容情報を含まないこととなる。
【０１４２】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１４３】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、例えば、マイクロプロセッサ、ＲＯＭ、ＲＡＭなどを含んで構成されるコンピュータシステムを含む。この場合、ＲＯＭには、コンピュータプログラムが記憶されている。マイクロプロセッサが、コンピュータプログラムに従って動作することにより、システムＬＳＩは、その機能を達成する。
【０１４４】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１４５】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１４６】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１４７】
また、本発明は、上記コンピュータプログラムまたは上記デジタル信号を、電気通信回線、無線または有線通信回線、インターネットを代表とするネットワーク、データ放送等を経由して伝送するものとしても良い。
【０１４８】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１４９】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１５０】
さらに、上記実施の形態及び上記変形例をそれぞれ組み合わせるとしても良い。
【産業上の利用可能性】
【０１５１】
本発明は、番組を録画する録画装置に広く利用可能である。
【符号の説明】
【０１５２】
１、１Ａ、１Ｂ、１Ｃ、１Ｄ、１Ｅ  録画装置
１０、１０Ｅ  抽出部
２０  記憶部
３０  入力部
４０、４０Ａ、４０Ｂ、４０Ｃ、４０Ｄ  推定部
５０  録画部
６０  記録媒体
７０  受信部
８０  通信部
【図１】
2019213080.tif 000003
【図２Ａ】
2019213080.tif 000004
【図２Ｂ】
2019213080.tif 000005
【図２Ｃ】
2019213080.tif 000006
【図３】
2019213080.tif 000007
【図４】
2019213080.tif 000008
【図５】
2019213080.tif 000009
【図６】
2019213080.tif 000010
【図７】
2019213080.tif 000011
【図８】
2019213080.tif 000012
【図９】
2019213080.tif 000013
【図１０】
2019213080.tif 000014
【図１１】
2019213080.tif 000015
【図１２】
2019213080.tif 000016
【図１３】
2019213080.tif 000017